(57)【要約】【課題】注入器具を提供すること。【解決手段】注入器具（１１０）が、放出ノズル（１１８）を備えた注射器（１２２）を受け入れるようになったハウジング（１１２）と、アクチュエータ（１１４）と、アクチュエータの作用を受けて注射器に作用し、それにより注射器を放出ノズルがハウジング内に収納される引っ込み位置から放出ノズルがハウジングから延びる伸長位置に前進させる駆動装置（１２０）とを有する。アクチュエータと連絡状態にあり、アクチュエータが駆動装置を解除するのを阻止されるロック位置からアクチュエータが注射器を前進させるよう駆動装置に作用できるロック解除位置に動かされるよう作動可能なロック機構体（ＨＳ）が設けられる。ロック機構体またはハウジングは、ロック機構体が作動されない場合、ロック機構体をロック位置に戻すよう構成された一体形成の付勢手段（２１０）を有する。【選択図】図１
2008534206.tif 000002
【特許請求の範囲】
【請求項１】
注入器具において、
放出ノズルを備えた注射器を受け入れるように構成されているハウジングと、
アクチュエータと、
駆動装置であって、前記アクチュエータの作用を受けて前記注射器に作用し、それにより、前記注射器を、前記放出ノズルが前記ハウジング内に収納される引っ込み位置から、前記放出ノズルが前記ハウジングから延びる伸長位置に前進させる、駆動装置と、
ロック機構体であって、前記アクチュエータと連絡状態にあり、前記アクチュエータが前記駆動装置を解除するのを阻止されるロック位置から、前記アクチュエータが前記注射器を前進させるように前記駆動装置に作用できるロック解除位置に、移動するように作動可能である、ロック機構体と、
を含み、
前記ロック機構体または前記ハウジングは、前記ロック機構体が作動されない場合、前記ロック機構体をロック位置に戻すように構成されている、一体に形成された付勢手段、を含む、注入器具。
【請求項２】
請求項１記載の注入器具において、
前記ロック機構体が、前記一体に形成された付勢手段を含む、注入器具。
【請求項３】
請求項２記載の注入器具において、
前記付勢手段は、前記ロック機構体と一体に形成された少なくとも１つの弾性アームを含む、注入器具。
【請求項４】
請求項３記載の注入器具において、
前記ロック機構体は、前記弾性アームが作動時に前記ハウジングの表面に対して押し付けられるように、前記ハウジング内に配置されている、注入器具。
【請求項５】
請求項４記載の注入器具において、
前記ロック機構体は、前記ロック機構体がそのロック解除位置にあるとき、前記ロック機構体がハウジングから延びるように、かつ、作動時に前記ハウジング内に滑り込むように、前記ハウジング内に配置されている、注入器具。
【請求項６】
請求項５記載の注入器具において、
前記ハウジングの内面は、カムを含み、
前記弾性アームは、作動時に前記カムに対して押し付けられて、前記弾性アームのばね力が、前記ロック機構体がそのロック解除位置から前記ハウジング内に滑り込んだ距離に従って、増大するようになっている、注入器具。
【請求項７】
請求項６記載の注入器具において、
前記ロック機構体は、複数本の弾性アームを含み、
前記ハウジングは、前記ハウジングの前記内面に設けられた対応するカム面を含み、
各弾性アームは、作動時に前記カム面に対して押し付けられる、注入器具。
【請求項８】
注入器具において、
実質的に添付の図面を参照して、本明細書において説明した、注入器具。
【発明の詳細な説明】
【開示の内容】
【０００１】
〔発明の分野〕
本発明は、注射器を受け入れ、注射器を伸長させ、その内容物を放出させ、次に注射器を自動的に引っ込める形式の注入器具に関する。
【０００２】
〔発明の背景〕
公知の注入器具が、国際公開第９５／３５１２６号パンフレットおよび欧州特許出願公開第０５１６４７３号明細書に示されており、かかる注入器具は、駆動ばね、および注入器具の内容物がいったん放出されたと推定されると、駆動ばねの影響で注射器を解除して、注射器を戻しばねにより引っ込めることができるようにする或る形態の解除機構体を用いる傾向がある。
【０００３】
かかる注入器具の針の周りに安全インターロックを設けることが知られている。
【０００４】
かかる安全インターロックは、トリガの回転を阻止することにより、注入器具のトリガの偶発的な作動を阻止する。インターロックは、ばね押しされて孔から出され、注射器はいったん作動されると、この孔を貫通する。インターロックは、例えばインターロックをユーザの体に押し付けることによってインターロックを孔に向かって押し込むことにより稼働解除され、それによりトリガを作動させて注射器を伸長させることができる。
【０００５】
インターロックは、作動可能であるように孔から押し出されなければならない。公知の器具は、注入器具のハウジングとインターロックとの間に配置された小さなコイルばねを用いている。これら小さなばねは、組み立てるのに費用がかかり、また、これらばねが製造中に全て抜け落ちる恐れがある、という危険性を生じさせる。
【０００６】
〔発明の概要〕
本発明の注入器具は、上述の問題に取り組むように設計されている。
【０００７】
上記のことを考慮し、本発明の第一の態様によれば、注入器具において、
放出ノズルを備えた注射器を受け入れるように構成されているハウジングと、
アクチュエータと、
駆動装置であって、アクチュエータの作用を受けて注射器に作用し、それにより、注射器を放出ノズルがハウジング内に収納される引っ込み位置から、放出ノズルがハウジングから延びる伸長位置に前進させる、駆動装置と、
ロック機構体であって、アクチュエータと連絡状態にあり、アクチュエータが駆動装置を解除するのを阻止されるロック位置から、アクチュエータが注射器を前進させるように駆動装置に作用できるロック解除位置に、移送するように作動可能である、ロック機構体と、
を含み、
ロック機構体またはハウジングは、ロック機構体が作動されない場合、ロック機構体をロック位置に戻すように構成されている、一体に形成された付勢手段、を含む、注入器具が提供される。
【０００８】
それ故、ロック機構体をそのロック位置に付勢するのに小さなばねを設ける必要はない。これにより、注入器具の組み立ての費用および複雑さが減少する。
【０００９】
一実施形態では、ロック機構体が、一体に形成された付勢手段を含む。
【００１０】
好ましくは、付勢手段は、ロック機構体と一体に形成された少なくとも１つの弾性アームを含む。
【００１１】
ロック機構体は、弾性アームが作動時にハウジングの表面に押し付けられるように（biased against）、ハウジング内に配置されていて良い。
【００１２】
一般に、ロック機構体は、ロック機構体がそのロック解除位置にあるとき、ロック機構体がハウジングから延びるように、かつ、作動時にハウジング内に滑り込むように、ハウジング内に配置される。
【００１３】
本発明の一実施形態では、ハウジングの内面は、カムを含み、弾性アームは、作動時にカムに対して押し付けられて（biased against）、弾性アームのばね力が、ロック機構体がそのロック解除位置からハウジング内に滑り込んだ距離に従って、増大するようになっている。
【００１４】
カムは、アームが、ロック機構体を稼働解除するのに必然的に必要な行程よりも短い行程で高いばね定数が得られるよう設計できるという機械の工率をもたらす。
【００１５】
好ましくは、ロック機構体は、複数本の弾性アームを含み、ハウジングは、ハウジングの内面に設けられた対応のカム面を含み、各弾性アームは、作動時にカム面に押し付けられる。最も好ましくは、ロック機構体は、２本のアームを有する。
【００１６】
次に、添付の図面を参照して本発明を例示的に説明する。
【００１７】
〔図面の詳細な説明〕
図１および図２は、本発明の第１の実施形態に従った注入器具１１０を示している。注入器具１１０は、注入器具ハウジング１１２および長手方向軸線１０１を有している。
【００１８】
注射器（図示せず）が、ハウジング１１２内に収納されている。注入器具１１０は、トリガ１１４（アクチュエータ）および解除可能なロック機構体１１６を有している。トリガ１１４は、第１の端部１１４ａおよび第２の端部１１４ｂを有している。トリガ１１４は、休止位置（図２に示されている）から稼働位置にピボット１１５回りに回転可能である。トリガ１１４の第２の端部１１４ｂは、駆動継手１２１に連結され、この駆動継手は、駆動ばね１２０の作用を受ける。駆動継手１２１は、注射器１２２と連絡状態にある。
【００１９】
トリガ１１４をピボット１１５回りに、方向Ｒ（即ち、その第１の端部１１４ａのところでのハウジング１１２内への下向き）に回転させると、トリガ１１４の第２の端部１１４ｂは、駆動継手１２１から離脱し、それにより駆動ばね１２０が注射器１２２（駆動継手１２１を介して）長手方向軸線１０１に沿って駆動して、これをハウジング１１２に設けられている孔１１８から出すようにする。
【００２０】
解除可能なロック機構体１１６は、スライディング・スリーブ１２６と連絡状態にあり、このスライディング・スリーブは、第１の位置にあるとき、ハウジング１１２の孔１１８から突き出る。ロック機構体１１６は、スライディング・スリーブ１２６を長手方向軸線１０１に沿って第２の位置までハウジング１１２内に移動させることにより非稼働状態になる。
【００２１】
スライディング・スリーブ１２６の第１の端部１２６ａを、薬剤が投与される身体に対して押し付けられて良く、それにより、解除可能なロック機構体１１６を非稼働状態にし、トリガ１１４がその休止位置からその稼働位置まで方向Ｒに回転することができる。
【００２２】
トリガ１１４は、その第１の端部１１４ａに切り欠き部１５２を備えた第１の部分１５０を備えている。第１の部分１５０は、トリガ１１４の第１の端部１１４ａから長手方向軸線１０１に実質的に平行な方向に延びている。
【００２３】
解除可能なロック機構体１１６は、突起１５４を有し、この突起は、長手方向軸線１０１に垂直な垂直軸線１８１に沿う方向に突き出ている。切り欠き部１５２は、突起を受け入れるように寸法が決められている。
【００２４】
解除可能なロック機構体１１６がその第１の位置にあるとき、突起の端部は、第１の部分１５０の下面に当接し、それによりトリガ１１４の回転を阻止する。
【００２５】
解除可能なロック機構体１１６がハウジング１１２内へのスライディング・スリーブ１２６の運動後にその第２の位置（図示せず）にあるとき、切り欠き部１５２は、突起１５４の端部の上方に配置され、それにより切り欠き部１５２は、下向きの力をトリガ１１２に加えると、突起１５４上を通過することができる。それ故、トリガ１１２は、回転がもはや阻止されず、それ自体が駆動継手１２１から離脱し、それにより注射器１２２を伸長させる。
【００２６】
図３および図４から理解できるように、解除可能なロック機構体１１６は、１対の一体に形成された弾性アーム２０１を備えている。弾性アーム２０１は、解除可能なロック機構体１１６から遠ざかったり近づいたりする方向において弾性的に撓む。
【００２７】
ハウジング１１２は、１対のカム作用面２１０を有し、これらカム作用面は、ロック機構体１１６が稼働解除されるハウジング１１２内の箇所の端部に向かって弾性アーム２０１と一線をなして配置されている。
【００２８】
弾性アーム２０１は、カム作用面２１０と連絡してスリーブ１２６をハウジング１１２内に押し込むと、アーム２０１が解除可能なロック機構体１１６およびスリーブ１２６を開口部１２６から押し出すようになっている。このように、スリーブの端部１２６ａに及ぼされる力が存在しない場合、解除可能なロック機構体１１６は、稼働状態のままであり、トリガの作動を阻止する。
【００２９】
一体に形成される弾性付勢手段の任意の形態をアーム２０１に代えて用いることができることは理解されよう。
【００３０】
本発明は、解除可能なロック機構体１１６の付勢手段がロック機構体それ自体と一体であり、それにより、組み立てが複雑かつ費用のかかる小さなばねが不要になるという顕著な利点を提供する。変形例として、当業者であれば理解されるように、弾性アーム２０１をハウジング１１２に取り付け、これら弾性アームが解除可能なロック機構体１１６の表面と連絡するようにしても良い。
【００３１】
当然のことながら、本発明を純粋に例示として上述しているに過ぎず、細部の設計変更を本発明の範囲内で行なうことができるということは理解されよう。
【００３２】
〔実施の態様〕
（１）注入器具において、
放出ノズルを備えた注射器を受け入れるように構成されているハウジングと、
アクチュエータと、
駆動装置であって、前記アクチュエータの作用を受けて前記注射器に作用し、それにより前記注射器を、前記放出ノズルが前記ハウジング内に収納される引っ込み位置から、前記放出ノズルが前記ハウジングから延びる伸長位置に前進させる、駆動装置と、
ロック機構体であって、前記アクチュエータと連絡状態にあり、前記アクチュエータが前記駆動装置を解除するのを阻止されるロック位置から、前記アクチュエータが前記注射器を前進させるように前記駆動装置に作用できるロック解除位置に、移動するように作動可能である、ロック機構体と、
を含み、
前記ロック機構体または前記ハウジングは、前記ロック機構体が作動されない場合、前記ロック機構体をロック位置に戻すように構成されている、一体に形成された付勢手段、を含む、注入器具。
（２）実施態様（１）記載の注入器具において、
前記ロック機構体が、前記一体に形成された付勢手段を含む、注入器具。
（３）実施態様（２）記載の注入器具において、
前記付勢手段は、前記ロック機構体と一体に形成された少なくとも１つの弾性アームを含む、注入器具。
（４）実施態様（３）記載の注入器具において、
前記ロック機構体は、前記弾性アームが作動時に前記ハウジングの表面に対して押し付けられるように、前記ハウジング内に配置されている、注入器具。
（５）実施態様（４）記載の注入器具において、
前記ロック機構体は、前記ロック機構体がそのロック解除位置にあるとき、前記ロック機構体がハウジングから延びるように、かつ、作動時に前記ハウジング内に滑り込むように、前記ハウジング内に配置されている、注入器具。
（６）実施態様（５）記載の注入器具において、
前記ハウジングの内面は、カムを含み、
前記弾性アームは、作動時に前記カムに対して押し付けられて、前記弾性アームのばね力が、前記ロック機構体がそのロック解除位置から前記ハウジング内に滑り込んだ距離に従って、増大するようになっている、注入器具。
（７）実施態様（６）記載の注入器具において、
前記ロック機構体は、複数本の弾性アームを含み、
前記ハウジングは、前記ハウジングの前記内面に設けられた対応するカム面を含み、
各弾性アームは、作動時に前記カム面に押し付けられる、注入器具。
（８）注入器具において、
実質的に添付の図面を参照して、本明細書において説明した、注入器具。
【図面の簡単な説明】
【００３３】
【図１】ハウジングの上方区分が設けられていない状態の本発明の注入器具の斜視図である。
【図２】図１に示す注入器具の側面図である。
【図３】本発明の注入器具のハウジングおよび解除可能なロック機構体の拡大斜視図である。
【図４】本発明の注入器具のハウジングおよび解除可能なロック機構体の代替の拡大斜視図である。
【図１】
2008534206.tif 000003
【図２】
2008534206.tif 000004
【図３】
2008534206.tif 000005
【図４】
2008534206.tif 000006
【国際調査報告】
2008534206.tif 000007
2008534206.tif 000008
2008534206.tif 000009
2008534206.tif 000010
2008534206.tif 000011